(57)【特許請求の範囲】
【請求項１】
センサ素子（８）と、トランスポンダ（５）と、可動測定対象物（１３）と、分離層（９）と、容量結合部（７、７’）とを含む装置であって、
前記可動測定対象物（１３）には前記センサ素子（８）と前記トランスポンダ（５）が共通して配置されており、
前記分離層（９）によって前記センサ素子（８）と前記トランスポンダ（５）が相互に分離されており、
前記容量結合部（７、７’）によって、前記センサ素子（８）は前記トランスポンダ（５）と、前記分離層（９）を介して容量結合されている、
ことを特徴とする装置。
【請求項２】
センサ素子（８）と、トランスポンダ（５）と、可動測定対象物（１３）と、分離層（９）と、電磁結合部（１２）を含む装置であって、
前記可動測定対象物（１３）には前記センサ素子（８）と前記トランスポンダ（５）が共通して配置されており、
前記分離層（９）によって前記センサ素子（８）と前記トランスポンダ（５）が相互に分離されており、
前記電磁結合部（１２）によって、前記センサ素子（８）は前記トランスポンダ（５）と、前記分離層（９）を介して電磁結合されている、
ことを特徴とする装置。
【請求項３】
その都度の測定変量にその値が依存した静電容量がセンサ素子（８）として使用されることを特徴とする、請求項１または２記載の装置。
【請求項４】
その都度の測定変量にその値が依存したインダクタンスがセンサ素子（８）として使用されることを特徴とする、請求項１または２記載の装置。
【請求項５】
その都度の測定変量にその値が依存したオーム抵抗がセンサ素子（８）として使用されることを特徴とする、請求項１または２記載の装置。
【請求項６】
気体または液体を少なくとも部分的に充填した容器の内部空間内でセンサ素子（８）による測定変量の検出が実現されることを特徴とする、請求項１〜５のいずれか１項記載の装置。
【請求項７】
気体または液体を少なくとも部分的に充填した車輪の内部空間内でセンサ素子（８）による測定変量の検出が実現されることを特徴とする、請求項１〜５のいずれか１項記載の装置。
【請求項８】
タイヤの表面または内部空間内でセンサ素子（８）による測定変量の検出が実現されることを特徴とする、請求項１〜５のいずれか１項記載の装置。
【請求項９】
前記分離層（９）は誘電体である、請求項１記載の装置。
【請求項１０】
タイヤ内のスチールベルトが前記電磁結合部（１２）の導体ループとして使用される、請求項２記載の装置。
【発明の詳細な説明】
【技術分野】
【０００１】
本発明は、センサ素子とトランスポンダを含む装置に関する。
【背景技術】
【０００２】
トランスポンダの重要な電気変量を適切な読取装置によって無線で問合せることは無線センサ技術の基本機能である。問合せるべき電気変量に、被測定物理変量に関する情報が好適なセンサ素子によって刻印される。
【０００３】
非接触式無線センサ技術のさまざまな利用分野において（単数または複数のセンサ素子による）測定変量の検出位置は読取装置による無線問合せに適したトランスポンダ位置と一致しない。その場合、センサ素子は一般にトランスポンダの別の機能的コンポーネント（特にトランスポンダの無線で読取装置と接続されたユニット）に線路で結合されている。
【０００４】
多くの用途においてトランスポンダに対するセンサ素子（８）の直接的線路結合は、被測定対象物の機能を損なうことなくしては可能でない。というのも、例えばトランスポンダとセンサとの間にある機能上本質的な分離壁、ダイヤフラム、被覆等が貫通され、従って破損されねばならないであろうからである。
【発明の開示】
【発明が解決しようとする課題】
【０００５】
本発明の課題は、被測定対象物の機能を損なわない冒頭に指摘した種類の結合を明示することである。
【課題を解決するための手段】
【０００６】
この課題は、トランスポンダに対するセンサ素子の結合を容量結合によって実現することによっても、またトランスポンダに対するセンサ素子の結合を電磁結合によって実現することによっても解決される。
【０００７】
その都度の測定変量にその値が依存した静電容量がセンサ素子として使用されると、特別有利である。選択的に、その都度の測定変量にその値が依存したインダクタンスまたはオーム抵抗がセンサ素子として使用されることも有利であることがある。
【０００８】
中空体の気密性が肝要でありまたは物体の機械的安定性が損なわれてはならないような用途において本発明の好ましい１つの構成は、トランスポンダに対するセンサ素子の結合が、トランスポンダとセンサ素子との間にある分離層が完全に機械的に貫通されることなく、または部分的に機械的に貫通されることなく実現されることにある。代表的例は、以下で一般にタイヤと称する車両または飛行機のタイヤである。
【０００９】
本発明の有利な１つの構成は、少なくともセンサ素子またはトランスポンダが分離層の相反する側に配置されていることにある。多くの応用事例にとってきわめて好適な選択案は、これら素子の１つを好ましくは分離層の表面または内部のいずれかに配置しておくことにある。
【００１０】
本発明の好ましい使用は、容器の気体または液体を少なくとも部分的に充填した内部空間内で、センサ素子による測定変量の検出が実現されることにある。
【００１１】
電気絶縁材料からなる分離層が設けられている場合、容量結合の誘電体が少なくとも部分的に機械的分離層によって形成されることによって、容量結合は特別簡単に［実現］される。
【００１２】
分離層中に電気伝導性導体が存在している場合、電磁結合の導体ループの少なくとも一部が既存の導体によって形成されることによって、電磁結合は特別簡単に［実現］される。スチールベルトを有するタイヤで本発明を利用する場合、スチールベルトが電磁結合の導体ループとして使用されると特別有利である。
【００１３】
付加的にまたは選択的に、導体ループが加硫によってタイヤ内に配置されると望ましい。
【発明を実施するための最良の形態】
【００１４】
以下、図面に示した２つの実施例を基に本発明がさらに説明される。
【００１５】
図１によればセンサ素子がトランスポンダ５に無線で結合されている。すなわちセンサ素子８とトランスポンダ５は線路で接続されているのではない。センサ素子８の出力端はむしろ結合コンデンサ７、７’を介してトランスポンダ５の入力端と容量結合されている。センサ素子８は被測定変量に依存してオーム抵抗、静電容量またはインダクタンスとして構成しておくことができる。
【００１６】
トランスポンダ５はアンテナ６を介して個別の読取／書込み装置１のアンテナ４と接続されており、この読取／書込み装置が送信器２と受信器３とを有する。読取／書込み装置１を介してセンサ素子８の測定データは線路なしに読み取ることができる。読取／書込み装置１が定置に配置されている一方、センサ素子８とトランスポンダ５は可動測定対象物１３上にある。
【００１７】
図示例においてセンサ素子８とトランスポンダ５はダイヤフラム９または別の電気絶縁材料によって分離されている。ダイヤフラム９または別の不導電性材料は結合コンデンサ７の板の間にある誘電体を形成し、この誘電体が結合静電容量に影響を及ぼす。
【００１８】
このような状況は、例えば車両タイヤの物体内部にセンサ素子８を配置するときに与えられている。車両タイヤのカーカス内の好適なセンサ素子で温度、変形またはその他の物理変量を測定するために結合コンデンサ７の板がタイヤの内面に配置され、第２板は第１板から一定の距離を置いて完全にタイヤ材料に一体化される。密封を行うタイヤ内層は無傷なままである。そのことはここに被着されるブチル層のゆえにきわめて重要である。というのもブチル層はなかんずくタイヤの気密性にとって決定的責任を負うからである。コンデンサ板の間にあるタイヤ材料は結合コンデンサ７の誘電体を形成する。
【００１９】
この例において読取／書込み装置１が車両内に配置されており、走行中にタイヤ測定データは車載コンピュータ等に転送することができる。
【００２０】
図２が示す応用事例では、トランスポンダ５に対するセンサ素子８の無線結合は電磁結合１２によって行われる。２つのコイル１０、１１の電磁結合は測定対象物の構造的な状況を利用して行われる。タイヤにおいてこの装置が用いられる場合、一方のコイル１０はタイヤ内側にあり、他方のコイル１１はタイヤ材料内に一体化されている。この第２コイル１１を少なくとも部分的にタイヤのスチールベルトによって形成しておくことができる。
【００２１】
測定のために任意のあらゆる物理変量が考慮の対象となる。つまり測定値を検出する素子の具体的実施は決定的でなく、一般に関心を寄せる測定変量に依存している。センサ素子８の考えられる実施形態はその都度の測定変量にその値が依存した静電容量、インダクタンスまたはオーム抵抗である。
【図面の簡単な説明】
【００２２】
【図１】容量結合を基にしたトランスポンダに対するセンサ素子（８）の結合の第１例のブロック線図である。
【図２】電磁結合を基にした第２例のブロック線図である。
【図１】
0004753347.tif 000002
【図２】
0004753347.tif 000003